(57)【要約】【課題】  遊技機の背面側のスペースを有効に利用可能とし、いかなる場合でも払い出し装置による払い出しを継続的に行うことが可能な遊技機の提供を課題とする。【解決手段】  本発明において、パチンコ遊技機１０の本体枠１２の前面側に払い出し装置１９を配設することにより、払い出し装置１９をパチンコ遊技機１０の背面側に配置しないようにすることができる。遊技領域２５の開放し、連絡通路Ａと前面通路３０が離反することにより、連絡通路Ａと前面通路３０との接続が分断されたときに切替板７０を略鉛直に立ち上げ、前面通路３０に向かおうとする遊技球の流通を阻止することができる。それと同時に、開口１７ａ１を開放することができるため、払い出し装置１９から払い出された遊技球を排出通路８０に流入させ、機外に排出することができる。【選択図】  図７
2006167316.tif 000002
【特許請求の範囲】
【請求項１】
本体部の上部に備えられ外部装置から遊技球が供給される供給部と、上記本体部の前面側に設けられた遊技領域と、上記本体部の前面側において回動可能に枢支されるとともに所定の回動位置にて同本体部に背面側を略密着させつつ窓穴から上記遊技領域を視認させる窓枠とを備える遊技機において、
上記窓枠に備えられ、上記供給部から遊技球を案内する通路の少なくとも一部を構成する前面通路と、
上記本体部に取り付けられ、上記供給部から上記前面通路に対して遊技球を払い出す払い出し装置と、
上記払い出し装置から上記前面通路まで遊技球を案内する連絡通路と、
上記連絡通路から分岐し、上記遊技機の外部に遊技球を排出する排出通路と、
上記窓枠の背面側が上記本体部の前面側から離反するように同窓枠を回動させたとき上記払い出し装置から払い出された遊技球を上記排出通路へ流入させる切替機構とを具備することを特徴とする遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の背面側に遊技球の払い出し通路を形成したものが知られている（例えば、特許文献１、図２、参照。）。
かかる構成によれば、払い出し通路中に払い出し装置が備えられるため、タンクに貯留された遊技球のうち指定された数量だけを払い出すことが可能であった。払い出された遊技球は前面側に案内されて、遊技に使用される。
【特許文献１】特開２００４−０７３７１９号公報
【発明の開示】
【発明が解決しようとする課題】
【０００３】
上述した従来の遊技機において、払い出し装置や払い出し通路を遊技機の背面側に備えることにより、遊技機の背面側における各基板等の設置スペースが限定されるという課題があった。また、かかる問題を解決するために払い出し通路をガラス枠の前面側に設けることも検討されている。しかし、ガラス枠は払い出し装置が備えられる本体枠や機構板に対して回動するため、同回動を行った際に払い出し通路と払い出し装置とが相対的に移動し、両者間の経路が分断され、払い出しを継続して行うことができないという課題があった。
本発明は、上記課題にかんがみてなされたもので、遊技機の背面側のスペースを有効に利用可能とし、いかなる場合でも払い出し装置による払い出しを継続的に行うことが可能な遊技機の提供を目的とする。
【課題を解決するための手段】
【０００４】
上記目的を達成するため、請求項１にかかる発明では、本体部の上部に備えられ外部装置から遊技球が供給される供給部と、上記本体部の前面側に設けられた遊技領域と、上記本体部の前面側において回動可能に枢支されるとともに所定の回動位置にて同本体部に背面側を略密着させつつ窓穴から上記遊技領域を視認させる窓枠とを備える遊技機において、
上記窓枠に備えられ、上記供給部から遊技球を案内する通路の少なくとも一部を構成する前面通路と、上記本体部に取り付けられ、上記供給部から上記前面通路に対して遊技球を払い出す払い出し装置と、上記払い出し装置から上記前面通路まで遊技球を案内する連絡通路と、上記連絡通路から分岐し、上記遊技機の外部に遊技球を排出する排出通路と、上記窓枠の背面側が上記本体部の前面側から離反するように同窓枠を回動させたとき上記払い出し装置から払い出された遊技球を上記排出通路へ流入させる切替機構とを具備する構成としてある。
【０００５】
上記のように構成した請求項１の発明において、供給部が遊技機本体部の上部に備えられ、同供給部に対して外部装置から遊技球が供給される。窓枠は上記本体部に対して回動可能に連結される。そして、この窓枠を所定の位置に回動させることにより、上記遊技領域を窓穴から視認可能としつつ上記本体部に前面側から略密着させることができる。上記供給部から遊技球を案内する通路が設けられることにより、上記供給部から遊技球を案内することができる。そして、この通路の少なくとも一部を構成する前面通路が上記本体部の前面側に備えられた上記窓枠に配設される。すなわち、上記供給部から遊技球を案内する通路のすべてが上記遊技機の背面側に備えられないため、同背面側のスペースを広く確保することができる。
【０００６】
所望の数量の遊技球を上記供給部から上記前面通路に払い出し可能な払い出し装置が上記本体部に備えられる。排出通路は上記払い出し装置と上記前面通路とを接続する連絡通路から分岐する。切替機構は、上記窓枠の背面側が上記本体部の前面側から離反するように同窓枠を回動させたとき、上記払い出し装置から払い出された遊技球を上記排出通路へ流入させる。上記窓枠の背面側が上記本体部の前面側から離反するように同窓枠を回動させたとき、同窓枠に備えられた上記前面通路と上記機構板に備えられた上記払い出し装置とが相対移動し、同前面通路と同払い出し装置との間の上記連絡通路が分断されることとなる。
【０００７】
このとき、上記切替機構が上記払い出し装置から払い出された遊技球を上記排出通路へ流入させるため、遊技球が上記分断された上記連絡通路から放出されることが防止できる。さらに、上記排出通路に流入した遊技球は上記遊技機の外部に排出される。
本発明は、上記の構成に限られるものではなく、以下の手段も含むものである。
【０００８】
手段１
手段１にかかる発明は、請求項１に記載した発明において、上記排出通路には、同排出通路に流入した遊技球の数量を計数するカウンタが備えられるとともに、
上記払い出し装置は上記カウンタにて計数された数量を加味して遊技球を払い出す構成としてある。
【０００９】
すなわち、上記排出通路に流入した遊技球は上記遊技機の外部に排出されるため、上記前面通路に供給されないが、この排出された数量を計数しておくことにより、同数量を補填することができる。具体的には、上記排出通路に流入した遊技球の数量をカウンタによって計数し、その数量を加味して上記払い出し装置が払い出しを行う。すなわち、排出された遊技球の数量だけ上記払い出し装置が余分に遊技球を払い出すことにより、上記前面通路に供給される遊技球の数量を補填することができる。
【００１０】
手段２
手段２にかかる発明は、請求項１または手段１のいずれかに記載した発明において、上記排出通路は上記本体部から背面側に浮いて形成される構成としてある。
すなわち、上記排出通路を上記本体部から背面側に浮かせることにより、同排出通路が備えられる部位をデッドスペースとすることなく同本体部に各種機構部材を配設することができる。
【００１１】
手段３
手段３にかかる発明は、請求項１または手段１または手段２のいずれかに記載した発明において、上記本体部は上記遊技領域が前面側に形成された本体枠と、同本体枠の背面側に密着して備えられた機構板とから構成され、
上記払い出し装置は上記本体枠に備えられるとともに、
上記排出通路は少なくとも上記機構板を貫通し、上記本体部の背面側に導出される構成としてある。
【００１２】
すなわち、上記排出通路を上記本体部の背面側に導出することにより、同本体部の背面側の機外に遊技球を排出することができる。上記排出通路は上記払い出し装置よりも下流にて分岐するため、上記本体枠に上記払い出し装置が備えられる場合には、同本体枠または上記窓枠にて上記排出通路が分岐することとなる。そのため、上記排出通路を上記本体部の背面側に導出するには上記本体部の背面側に密着する上記機構板が妨げとなる。そこで、上記排出通路が少なくとも上記本体枠の背面側に備えられた上記機構板を貫通するようにすることにより、同排出通路を同機構板よりも背面側に導出することができる。
【００１３】
手段４
手段４にかかる発明は、手段３に記載した発明において、上記供給部は上記機構板に備えられるとともに、上記機構板を上記本体枠から離反させたとき上記供給部から上記払い出し装置へ向かって遊技球が流下することを阻止する停止機構が備えられる構成としてある。
【００１４】
すなわち、上記供給部を上記機構板に備え、上記払い出し装置を上記本体枠に備える場合、上記機構板を上記本体枠から離反させると、上記払い出し装置と上記供給部とが相対移動し、これらの間において通路が分断されることとなる。上記機構板を上記本体枠から離反させたとき上記供給部から上記払い出し装置へ向かって遊技球が流下することを阻止する停止機構を設けることにより、上記供給部から遊技球が供給されることを阻止し、分断された通路から遊技球が散らばることが防止できる。
【００１５】
手段５
手段５にかかる発明は、請求項１または手段１または手段２のいずれかに記載した発明において、上記本体部は上記遊技領域が前面側に形成された本体枠と、同本体枠の背面側に密着して備えられた機構板とから構成されるとともに、
上記供給部と上記払い出し装置が上記機構板に備えられ、上記連絡通路が上記本体枠を貫通して形成される構成としてある。
すなわち、上記連絡通路が上記本体枠を貫通することにより、上記機構板に備えられた上記払い出し装置と上記窓枠に備えられた上記前面通路とを接続することができる。従って、上記払い出し装置にて払い出した遊技球を上記前面通路に案内することができる。なお、上記連絡通路は上記機構板から上記窓枠にわたって形成されることとなるため、上記切替機構が上記機構板に備えられてもよいし、上記本体枠に備えられてもよい。さらに、上記切替機構が上記機構板に備えられてもよい。
【００１６】
手段６
手段６にかかる発明は、手段５に記載した発明において、上記切替機構が上記機構板に設けられるとともに、
上記連絡通路における同切替機構よりも下流部分は上記窓枠から上記機構板まで突設され、上記本体枠には同連絡通路が貫通可能な貫通穴が形成される構成としてある。
すなわち、上記切替機構を上記機構板に設けてもよい。この場合、上記連絡通路における同切替機構よりも下流部分が上記本体枠を貫通することとなる。そして、この下流部分を上記窓枠から上記機構板まで突設し、同下流部分が貫通可能な貫通穴を上記本体枠に形成する。これにより、上記連絡通路によって上記本体枠を貫通させることができる。また、上記窓枠と上記機構板とを上記連絡通路によって直接接続することができる。
【００１７】
手段７
手段７にかかる発明は、請求項１または手段３または手段６のいずれかに記載した発明において、上記遊技領域は略矩形状の上記本体枠の幅と同等の直径を有する略円形状に形成されるとともに、
上記連絡通路は、上記本体枠における上記遊技領域の右上または左上に形成される構成としてある。
すなわち、上記遊技領域は略矩形状の上記本体枠の幅と同等の直径を有する略円形状に形成することにより、同本体枠には同遊技領域が形成されない余白部分が形成される。そして、この余白部分に上記連絡通路を形成することにより、上記遊技領域を縮小することなく同連絡通路を設けることができる。
【００１８】
手段８
手段８にかかる発明は、手段３から手段７のいずれかに記載した発明において、上記排出通路は上記機構板に取り付けられる構成としてある。
すなわち、上記機構板に上記排出通路を取り付けてもよい。パチンコ遊技機のように遊技領域が広く上記本体枠に上記排出通路の配置スペースが確保することが難しい場合には、上記排出通路を上記機構板に配設しておくことが望ましい。また、上記排出通路を上記機構板に取り付けた場合において、上記切替機構が上記機構板に備えられてもよいし、上記本体枠に備えられてもよい。
【００１９】
手段９
手段９にかかる発明は、請求項１、または、手段１から手段８のいずれかに記載した発明において、上記遊技機は上記遊技領域にてドラムが回転させられるパチロットある構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しが行われるため、本発明を適用することができる。
【発明の効果】
【００２０】
以上説明したように、請求項１にかかる発明によれば、遊技機の背面側のスペースを有効に利用可能とし、窓枠の状態に依存することなく払い出し装置による払い出しを行うことが可能な遊技機を提供することができる。
手段１にかかる発明によれば、排出通路にて排出された遊技球を補填することができる。
手段２にかかる発明によれば、本体部の背面側のスペースを確保することができる。
手段３にかかる発明によれば、払い出し装置を本体枠に備えつつ、遊技球を本体部の背面側に排出することができる。
手段４にかかる発明によれば、遊技球が分断された通路から放出されることが防止できる。
手段５にかかる発明によれば、遊技球を本体枠の背面側から前面側に案内することができる。
手段６にかかる発明によれば、連絡通路の接続性が良好となる。
手段７にかかる発明によれば、遊技領域を広く形成することができる。
手段８にかかる発明によれば、遊技球の散乱が防止できる。
手段９にかかる発明によれば、パチロットの背面側のスペースを有効に利用することができる。
【発明を実施するための最良の形態】
【００２１】
ここでは、下記の順序に従って本発明の実施形態について説明する。
（１）第一の実施形態：
（２）第二の実施形態：
（３）第三の実施形態：
（４）まとめ：
【００２２】
（１）第一の実施形態：
図１は、本発明の第一の実施形態にかかるパチンコ遊技機を斜めから見て示している。同図において、パチンコ遊技機１０は木材で矩形枠状に形成された外枠１１を有しており、同外枠１１を固定することによりホール等に正立した状態で設置される。外枠１１の内側には合成樹脂等で形成された矩形枠状の本体枠１２が嵌め込まれている。本体枠１２の前面側には、同本体枠１２と回動可能な窓枠としてのガラス枠１３が枢支されている。ガラス枠１３は中央部に窓穴１３ｄを有しており、同窓穴１３ｄから透明板としてのガラス１３ａが露出するように保持されている。
【００２３】
ガラス１３ａは透視可能であり、ガラス１３ａの内側を視認することが可能となっている。本体枠１２は矩形開口を有しており、同矩形開口にて矩形板状の遊技盤２４が保持されている。そして、前面側からガラス１３ａを透視することにより、その内側に保持された遊技盤２４の様子を視認することが可能となっている。遊技盤２４の前面には略円環状の遊技レールが立設されており、同遊技レールおよびガラス枠１３に囲まれた遊技領域２５にて遊技球を流通させて遊技を行う。ガラス枠１３の下方には上皿１４が前面に向かって突設されており、さらにその下方には下皿１５が前面に向かって突設されている。上皿１４および下皿１５は所定の深みを有する皿状に形成されているため、遊技球を貯留しておくことができる。
【００２４】
下皿１５の側方には半球状の発射ハンドル１６が回動可能に突設されており、同発射ハンドル１６の回動量に応じて遊技球の発射を行うことが可能となっている。発射ハンドル１６が備えられた部位の内部には発射装置１６ａが備えられている。発射装置１６ａは、遊技領域２５まで遊技球を案内するレールと、発射ハンドル１６の回動量に応じて動作する発射槌を有している。また、上皿１４と発射装置１６ａとは図示しない通路により連通しており、上皿１４に貯留された遊技球を発射槌に供給することが可能となっている。そして、供給された遊技球を発射槌が弾くことにより、遊技球が付勢され、遊技領域２５に発射される。
【００２５】
図２は、パチンコ遊技機１０を背面側から見て示している。同図において、パチンコ遊技機１０の背面側には略板状の機構板１７が枢支されており、本体枠１２に保持されている遊技盤２４は同機構板１７によって背面側から覆われている。機構板１７には保護カバー２２が取り付けられており、同保護カバー２２に背面側から覆われるように液晶ユニット２１や制御ボックス２３が配設されている。液晶ユニット２１は遊技領域の中央部に表示面を露出させる液晶パネルを駆動するための装置であり、遊技盤２４を貫通するように取り付けられている。制御ボックス２３はパチンコ遊技機１０の主要な動作を制御する主基板を収容する基板ボックスであり、内部の主基板を強固に封止している。
【００２６】
パチンコ遊技機１０の背面側の上部には遊技球が貯留可能なタンク１８が備えられている、タンク１８は幅方向に長い皿状に形成されており、上方に開口している。タンク１８は本発明にいう供給部に相当し、同タンク１８はホール等に設置される遊技球供給装置から遊技球の供給を受ける。タンク１８を遊技機における上方部分に備えておくことにより、遊技球が重力に引かれて流下する勢いを利用して、遊技球を流通させることができる。タンク１８の底面は紙面右方が低くなるように形成されており、タンク１８内を流下する遊技球は紙面右方向に流通する。
【００２７】
タンク１８の底面の紙面右方端部には穴が形成されており、同穴からタンクレール１８ａに遊技球が落下する。タンクレール１８ａは紙面右側が低くなるように傾斜しており、タンクレール１８ａに落下した遊技球は紙面右側に流下する。さらに、タンクレール１８ａの紙面右側端部の下方に備えられた払い出し装置１９に遊技球が落下する。
【００２８】
図３は、払い出し装置１９を背面側から見て示している。同図において、払い出し装置１９は略矩形状の筐体１９ａを有し、その内部に破線で示す待機通路１９ｂと回転カム１９ｃと送出通路１９ｆと払い出しモータ１９ｄとを備えている。待機通路１９ｂは、タンクレール１８ａと接続しており、タンクレール１８ａから遊技球の供給を受ける。回転カム１９ｃの中心は払い出しモータ１９ｄに接続されており、紙面に垂直な軸を回転軸として回転することが可能となっている。払い出しモータ１９ｄは払い出し制御基板から供給される払い出し信号に応じて回動することが可能であり、本体枠１２の背面側に備えられた電源から電力の供給を受けている。
【００２９】
一対の凹部１９ｃ１，１９ｃ１が回転カム１９ｃに形成されており、それぞれ遊技球が約半分入り込むことが可能な形状となっている。凹部１９ｃ１，１９ｃ１は、回転カム１９ｃが０．５回転する毎に待機通路１９ｂの下端にて上方に配向し、待機通路１９ｂにおいて最も下方に位置する遊技球を凹みに入り込ませることが可能となっている。凹部１９ｃ１，１９ｃ１に遊技球が入り込んだ状態において回転カム１９ｃが時計回りに回転すると、凹部１９ｃ１，１９ｃ１に入り込んだ遊技球が、凹部１９ｃ１，１９ｃ１に入り込んだまま回転移動させられる。そして、回転カム１９ｃが所定角度回転したところで、送出通路１９ｆに凹部１９ｃ１，１９ｃ１に入り込んだ遊技球を落下させることが可能となっている。すなわち、払い出し装置１９は回転カム１９ｃが０．５回転する毎に遊技球を１球ずつ待機通路１９ｂから送出通路１９ｆに移送することが可能となっている。このように、回転カム１９ｃの回転数を制御することにより、払い出し装置１９から払い出される遊技球の数量を制御することができる。
【００３０】
例えば、大当たりが出た場合等には回転カム１９ｃを高速に回転させるようにＣＰＵ等が制御信号を生成する。逆に、賞球がない場合には、回転カム１９ｃを停止させるようにＣＰＵ等が制御信号を生成する送出通路１９ｆに移送された遊技球は送出通路１９ｆに沿って流下する。さらに、送出通路１９ｆの下端１９ｆ１は前面通路３０の入口３２と接続するため、回転カム１９ｃの回転に応じた数量の遊技球を前面通路３０にて流下させることが可能となっている。
【００３１】
送出通路１９ｆの壁面には感光部を内側に臨ませたフォトダイオードを備える払い出しカウンタ１９ｇが埋め込まれている。送出通路１９ｆを遊技球が通過すると、払い出しカウンタ１９ｇが有するフォトダイオードの感光部を遊技球が横切ることとなるため、同フォトダイオードの受光状態が変動する。従って、送出通路１９ｆを遊技球が通過する毎に、同フォトダイオードにてパルス信号を生成することができる。すなわち、払い出し装置１９が遊技球を払い出すと、その払い出し数と同数のパルスが連続した電気信号が生成され、払い出し制御基板に入力される。なお、払い出し装置１９または払い出し制御基板において上記パルス信号に対する増幅や波形整形が行われる。
【００３２】
図４は、遊技球の通路を模式的に示している。同図において、上部にて払い出し装置１９から遊技球の供給を受けるガイド部材２０は内部に略Ｌ字状の通路２０ａを有しており、通路２０ａの底面は前方になるほど低くなるように傾斜している。通路２０ａの前方端部は開口しており、底面を伝って流下する遊技球を前方に排出することが可能となっている。また、通路２０ａの前方端部の開口は、機構板１７を前後に貫通するように形成された機構板通路１７ａの後端と接続されている。従って、ガイド部材２０から排出された遊技球は、機構板通路１７ａに導入される。機構板通路１７ａの底面も前方になるほど低くなるように傾斜しているため、機構板通路１７ａに導入された遊技球はさらに前方に流下する。
【００３３】
機構板１７は本体枠１２に対して回動可能に枢支されているが、機構板１７と本体枠１２とが平行となるように機構板１７を回動させることにより、機構板１７と本体枠１２とが略密着する。このとき、機構板通路１７ａの前端も本体枠１２に背面側から接触し、同本体枠１２を前後に貫通するように形成された本体枠通路１２ａの後端と接続する。このようにすることにより、機構板通路１７ａを流下した遊技球を本体枠通路１２ａに案内することができる。本体枠通路１２ａの底面も前方になるほど低くなるように傾斜しているため、本体枠通路１２ａに導入された遊技球はさらに本体枠通路１２ａを前方に流下する。
【００３４】
一方、本体枠１２の前面側に備えられるガラス枠１３には、同ガラス枠１３を前後に貫通するガラス枠通路１３ｂが穿設されている。ガラス枠１３は本体枠１２に対して回動可能に枢支されているが、本体枠１２に背面側を略密着させ遊技領域２５を前面側から閉鎖するようにガラス枠１３を回動させたときには、ガラス枠１３と本体枠１２に保持された遊技盤２４とを平行に略密着させることができる。このとき、本体枠通路１２ａの前端と、ガラス枠通路１３ｂの後端とが接続する。ガラス枠通路１３ｂの底面も前方になるほど低くなるように傾斜しているため、ガラス枠通路１３ｂに導入された遊技球はさらに前方に流下する。
【００３５】
ガラス枠１３の前面側には前面通路３０の延設部３１がガラス枠通路１３ｂの前方開口を取り囲むように取り付けられている。延設部３１は中空状となっているため、ガラス枠通路１３ｂを流下した遊技球は延設部３１の内部を流下する。さらに、延設部３１も前方になるほど低くなるように傾斜しているため、延設部３１に案内された遊技球は前方に流下し、落下部３２に到達する。落下部３２に到達した遊技球は下方に向かって自由落下することとなる。
【００３６】
このようにパチンコ遊技機１０を構成する各部材の前後を貫通する機構板通路１７ａと本体枠通路１２ａとガラス枠通路１３ｂを形成し、これらを前後に接続することにより、パチンコ遊技機１０を前後に貫通する連絡通路Ａを形成することができる。この連絡通路Ａによれば遊技球を背面側から遊技領域２５よりも前面側に案内することができるため、払い出し装置１９から払い出された遊技球を前面側に供給することができる。落下部３２を流下した遊技球は上皿通路３４および下皿通路３５を利用して上皿１４または下皿１５に供給される。なお、連絡通路Ａは遊技盤２４を貫通して形成するようにしてもよい。本体枠１２は遊技盤２４の外側を枠状に囲んで保持しているため、連絡通路Ａを遊技盤２４の外側に形成すれば連絡通路Ａは本体枠１２を貫通することとなるし、連絡通路Ａを遊技盤２４の内側に形成すれば連絡通路Ａは遊技盤２４を貫通することとなる。なお、本体枠１２と遊技盤２４と機構板１７と外枠１１とが本発明にいう本体部に相当する。
【００３７】
なお、図１に示すように本体枠１２が保持する遊技盤２４には略円形状の遊技領域２５が形成されている。遊技領域２５の直径は矩形状の本体枠１２および遊技盤２４の幅とほぼ同等に形成されており、遊技領域２５の高さ方向中程においては遊技領域２５が本体枠１２の全幅を占有している。パチンコ遊技機１０の趣向性や装飾性を向上させるために、できる限り遊技領域２５を大きく形成することが望ましく、遊技領域２５の直径が本体枠１２の全幅と同等とされることが一般的である。この場合であっても、図１に示すように前面通路３０を正面視において遊技領域２５の左上に接続しているため、前面通路３０に背面側からまっすぐ接続する連絡通路Ａを本体枠１２における遊技領域２５が形成されないスペースに配置することができる。
【００３８】
従って、連絡通路Ａを形成したことによって遊技領域２５が狭められることなく、パチンコ遊技機１０の趣向性や装飾性を保つことができる。また、遊技者の注視する遊技領域２５の高い位置から前面通路３０を形成することにより、前面通路３０の経路を長く形成することができ、前面通路３０を目立たせることができる。むろん、正面視において連絡通路Ａを本体枠１２における遊技領域２５の右上に形成しても同様の効果を得ることができる。この場合、前面通路３０はガラス枠１３の回動自由端側に取り付けられることとなるが、ガラス枠１３を本体枠１２に密着させ遊技領域２５を閉鎖させたときに、連絡通路Ａの接続性が確保できればよく、図４に示す構成を同様に適用することができる。
【００３９】
図５は、上皿通路３４の断面を見て示している。同図において、上皿通路３４は前面通路３０の落下部３２から上皿１４に向かって突設されている。上皿通路３４の先端を開口させることにより上皿放出部３４ａが形成されている。上皿１４の壁面には穴１４ｂが形成されており、同穴１４ｂの下方には外側に向かって略板状の位置決め板１４ａが突設されている。遊技領域２５がガラス枠１３によって略閉鎖されるようにガラス枠１３を回動させたとき、上皿放出部３４ａと穴１４ｂとが対向し、位置決め板１４ａ上に上皿通路３４が到来し位置決めされる。
【００４０】
上皿通路３４は先端が下降するように傾斜させられており、底面を落下部３２の内部に延設することにより、略板状の案内翼３４ｃが設けられている。案内翼３４ｃは落下部３２の外側に近づくにつれ低くなるように傾斜しており、案内翼３４ｃ上の遊技球は上皿通路３４に向かって流下する。落下部３２の内部における案内翼３４ｃの上方には、略板状のガイド翼３７が内側に向かって突設されている。ガイド翼３７は案内翼３４ｃの上方にて終端しており、先端になるほど低くなるように傾斜している。ガイド翼３７の先端と落下部３２の内壁とは少なくとも遊技球の直径以上の間隔が確保されている。
【００４１】
このようにすることにより、落下部３２の内部を落下する遊技球をガイド翼３７に衝突させ、ガイド翼３７上を流下させることにより、案内翼３４ｃ上に遊技球を落下させることができる。また、ガイド翼３７に落下しない遊技球は、直接、案内翼３４ｃ上に落下する。いずれにしても、遊技球が案内翼３４ｃ上に落下させることができ、遊技球を上皿通路３４に案内することができる。上皿通路３４に案内された遊技球は上皿通路３４を流下し、上皿放出部３４ａと穴１４ｂを経由して上皿１４に貯留される。上皿１４に貯留された遊技球は発射装置１６ａによって遊技領域に発射される。従って、前面通路３０を流通した遊技球を遊技に使用することが可能となる。
【００４２】
図６は、上皿１４において貯留された遊技球が満杯となる状態を示している。同図において、満杯状態となった遊技球が上皿通路３４や案内翼３４ｃ上にも滞留している。この状態において、案内翼３４ｃ上に遊技球が落下すると、案内翼３４ｃ上に滞留した遊技球に、落下した遊技球が衝突し跳ね返されることとなる。跳ね返された遊技球は案内翼３４ｃから落下し、さらに落下部３２の内部を下方に落下することとなる。そして、案内翼３４ｃから落下した遊技球は、最終的に下皿通路３５を経由して下皿１５に放出される。かかる構成により、上皿１４に貯留された遊技球が満杯状態のときのみ遊技球を下皿１５に排出することが可能となっている。
【００４３】
ところで、図４において連絡通路Ａにおける機構板１７の部分（機構板通路１７ａ）では、通路が分岐されている。すなわち、パチンコ遊技機１０を前後に貫通する連絡通路Ａに対して、上下方向の排出通路８０が機構板１７にて分岐している。排出通路８０が連絡通路Ａから分岐する箇所には本発明の切替機構に相当する切替板７０が備えられており、切替板７０が所定の動作をすることにより、払い出し装置１９から払い出された遊技球を連絡通路Ａを介して前面通路３０に案内するか、排出通路８０に案内するかが切替可能となっている。
【００４４】
図７は切替板７０の動作を側方から見て示し、図８は切替板７０の取り付け状態を上方から見て示している。図８において、切替板７０は略矩形板状に形成されており、その一辺に回動軸７１を有している。回動軸７１は切替板７０の幅方向に突出しており、その一方にギア７２を有している。切替板７０を機構板通路１７ａにセットすると、ギア７２は機構板１７の内部に備えられた切替モータ７３の駆動ギア７４と噛合し、切替モータ７３の駆動に応じて回動軸７１を軸として切替板７０を回動させることができる。図７において、機構板通路１７ａにおける回動軸７１がセットされる部位の前面側には開口１７ａ１が形成されており、同開口１７ａ１より下方が排出通路８０となっている。
【００４５】
切替モータ７３を駆動させ、切替板７０が略水平に寝かせた状態において、開口１７ａ１を切替板７０によって塞ぐことができる。このとき、遊技球は切替板７０の上面に沿って前面側に向かって流通することができるため、本体枠通路１２ａやガラス枠通路１３ｂや前面通路３０まで遊技球を案内することができる。なお、このとき同切替板７０の回動自由端は機構板通路１７ａの底面を下方に延設して形成した第一ストッパ１７ａ２に当接することにより、切替板７０がわずかに傾斜し、遊技球を前面側に案内可能な回動位置に位置決めされる。また、第一ストッパ１７ａ２が切替板７０の回動自由端と当接したときに、機構板通路１７ａの底面と切替板７０とで段差が生じないようにされている。
【００４６】
切替モータ７３を駆動させ、切替板７０が略鉛直に立たせた状態において、開口１７ａ１を開放することができる。このとき、遊技球は開口１７ａ１にて下方に落下するため、排出通路８０に遊技球を案内することができる。なお、このとき同切替板７０の回動自由端は機構板通路１７ａの上面を下方に延設して形成した第二ストッパ１７ａ３に当接することにより、切替板７０は適切な回動位置に位置決めされる。そして、略鉛直に立った切替板７０によって、機構板通路１７ａが前面側方向に遮断される。従って、確実に排出通路８０に遊技球を案内することができる。排出通路８０は機構板１７の内部にて背面側に向かって屈曲され、機構板１７から背面側に向かって突出している。
【００４７】
図９は、パチンコ遊技機１０を側方から見て示している。同図において、ガラス枠１３よりも延設部３１の長さの分だけ落下部３２が前面側に配置されている。すなわち、前面通路３０は延設部３１の長さの分だけ前面側に突出している。このようにすることにより、前面側にて遊技を行う遊技者に前面通路３０を目立たせることができる。従って、前面通路３０に模様等を形成することにより、パチンコ遊技機１０の趣向性を向上させることができる。一方、排出通路８０は機構板１７から背面側に突出し、筒状の通路が同機構板１７から離れている。このようにすることにより、機構板１７において排出通路８０に制限されることなく各種機構部材を配置することができる。  
【００４８】
例えば、保護カバー２２や液晶ユニット２１や制御ボックス２３等を排出通路８０に制約されることなく配置することができる。これにより、液晶ユニット２１を任意の位置に配置したり、大型の表示面を有する液晶ユニット２１を採用したりすることができ、遊技領域２５のデザインの自由度を広げることができる。排出通路８０の下端は下皿１５と同等の高さまで到達している。
【００４９】
図１０は、排出通路８０の下端を斜めから見て示している。同図において、排出通路８０の下端は略筒状の排出通路８０を切断した形状となっており、同下端から遊技球を下方に排出することが可能となっている。排出通路８０の内部には排出カウンタ８１が備えられている。排出カウンタ８１は払い出しカウンタ１９ｇと同様な構成とされており、排出通路８０における排出カウンタ８１が備えられた部位を横切る遊技球毎にフォトダイオードにてパルス信号を生成することができる。すなわち、排出通路８０からパチンコ遊技機１０の機外に排出した機外排出数と同数のパルスが連続したパルス信号が生成される。このパルス信号は所定の増幅や波形整形を経て主基板に入力される。
【００５０】
図１１は、ガラス枠１３が回動して、本体枠１２から離反した状態を上方から見て示している。同図において、ガラス枠１３の回動固定端側に前面通路３０が取り付けられているが、ガラス枠１３の回動とともに前面通路３０は本体枠１２および本体枠通路１２ａから離反することととなる。従って、連絡通路Ａは、本体枠通路１２ａと前面通路３０との接続部位にて分断されることとなる。一方、ガラス枠１３を回動させることにより、上皿１４を回動のロックが解除され、上皿１４を独立して回動させることが可能となっている。
【００５１】
図１２は、本発明を実現させるための制御系統を概略的に示している。同図において、複数のパチンコ遊技機１０，１０，１０・・・と通信可能なホールコンピュータ９０が備えられている。ホールコンピュータ９０はパチンコホールに設定されるコンピュータであり、各パチンコ遊技機１０，１０，１０・・・を統括的に制御する。パチンコ遊技機１０の主基板Ｍ１から入力された各種データは所定のインターフェイスを利用してホールコンピュータ９０に入力され、同ホールコンピュータ９０がＣＰＵ上にて実行する制御プログラムが各データに応じた処理を実行する。例えば、パチンコ遊技機１０から入力された大当たり信号等に基づいて遊技球の払い出し数を決定し、当該パチンコ遊技機１０の主基板Ｍ１に対して払い出し数を格納した払い出しデータを出力する。なお、払い出しデータに格納される払い出し数を予定払い出し数というものとする。
【００５２】
主基板Ｍ１には、扉開放センサＭ２および球溢れセンサＭ３それぞれ検知信号が入力されている。また、主基板Ｍ１には排出カウンタ８１も接続されており、排出カウンタ８１から機外排出数に応じたパルス信号の入力を受けている。扉開放センサＭ２はガラス枠１３が回動し、遊技領域２５が開放されたことを検知するセンサである。例えば、遊技領域２５を閉鎖したときにガラス枠１３と本体枠１２とが密着する位置に機械的なスイッチや光センサ等を配設することによりガラス枠１３の本体枠１２に対する離反を検知し、遊技領域２５の開放を検知することができる。球溢れセンサＭ３は下皿１５における遊技球の貯留量が所定量を超えたことを検知するセンサである。主基板Ｍ１が備えるＣＰＵは所定のインターフェイスを介して、扉開放センサＭ２および球溢れセンサＭ３からの検知信号を入力し、それぞれの信号に応じた処理を実行させる。
【００５３】
球溢れセンサＭ３によって下皿１５における遊技球の貯留量が所定量を超えたことが検知されると、主基板Ｍ１のＣＰＵは払い出し制御基板Ｍ５に対して球溢れ信号を出力する。この球溢れ信号を入力した払い出し制御基板Ｍ５は、さらに払い出し装置１９に対して上述した回転体１９ｂの回動を停止させるように指令する。このようにすることにより、遊技球が下皿１５からオーバーフローしてしまうことが防止できる。逆に、球溢れセンサＭ３によって下皿１５における遊技球の貯留量が所定量を超えなくなったことが検知されると、回転体１９ｂの回動を再開させる制御が行われる。
【００５４】
払い出し制御基板Ｍ５には払い出しカウンタ１９ｇから現実に払い出された払い出し数に応じたパルス信号が入力されており、払い出し制御基板Ｍ５は、このパルス信号から現実に払い出された払い出し数を解釈することが可能となっている。なお、払い出しカウンタ１９ｇにて計数される現実の払い出し数を実払い出し数というものとする。また、払い出し制御基板Ｍ５には、ホールコンピュータ９０から主基板Ｍ１を介して払い出しデータも入力される。払い出しデータはホールコンピュータ９０が算出した予定払い出し数を格納したデータであり、このデータに基づいて払い出し制御基板Ｍ５が払い出し装置１９の制御を実行する。
【００５５】
図１３は、払い出し制御基板Ｍ５が行う払い出し処理の流れを示している。同図において、ステップＳ１００では主基板Ｍ１経由でホールコンピュータ９０から払い出しデータの入力を待ち受けており、同払い出しデータの入力があった場合には、同払い出しデータに格納された予定払い出し数を取得する。一方、ステップＳ１００にて払い出しデータの入力がなかった場合には、引き続き払い出しデータの入力を待ち受ける。ステップＳ１２０では、払い出しモータ１９ｄを駆動させ、払い出し装置１９にて遊技球の払い出しを開始させる。それと同時に払い出しカウンタ１９ｇにて計数を開始し、同払い出しカウンタ１９ｇから実払い出し数を取得する。
【００５６】
ステップＳ１３０においては、ステップＳ１１０にて取得した予定払い出し数と、ステップＳ１２０にて計測した実払い出し数とが同等となることを監視する。そして、予定払い出し数と実払い出し数とが同等となったとき、ステップＳ１４０にて払い出しモータ１９ｄの駆動を停止させ、払い出しカウンタ１９ｇをリセットする。すなわち、ステップＳ１３０において払い出しモータ１９ｄの駆動は続行されるため、次第に実払い出し数が増加する。そして、実払い出し数が予定払い出し数まで到達したとき、予定の数量の払い出しが完了したとして払い出しモータ１９ｄの駆動を停止させる。一方、実払い出し数が予定払い出し数まで到達していない場合には、予定の数量の払い出しが完了していないとして払い出しモータ１９ｄの駆動を続行させる。
【００５７】
次に、ホールコンピュータ９０が払い出しデータについて行う処理の流れを図１４のフローチャートを用いて説明する。同図における左欄にはホールコンピュータ９０が行う処理の流れを示し、右欄には払い出し装置１９から払い出された遊技球が流入する通路のいずれかを示している。まず、ステップＳ２００では予定払い出し数を格納した払い出しデータを生成し、同払い出しデータをパチンコ遊技機１０の主基板Ｍ１に出力する。主基板Ｍ１に入力された払い出しデータは払い出し制御基板Ｍ５に出力され、同払い出し制御基板Ｍ５にて上述したステップＳ１００〜Ｓ１４０の処理が実行される。すなわち、払い出し装置１９から予定払い出し数に応じた数量の遊技球連絡通路Ａおよび前面通路３０を経由して上皿１４または下皿１５に払い出される。
【００５８】
ステップＳ２１０にてホールコンピュータ９０は、払い出し装置１９が払い出しを行っている際に、ガラス枠１３が回動され、遊技領域２５が開放されていないかどうかを監視している。扉開放センサＭ２における検知信号が主基板Ｍ１に入力されており、主基板Ｍ１はこの検知信号に対応した扉開放信号を生成し、モータコントローラＭ４およびホールコンピュータ９０に対して出力する。従って、ホールコンピュータ９０は、パチンコ遊技機１０において図１１のように遊技領域２５が開放されたことを監視することが可能となっている。
【００５９】
ステップＳ２１０にて遊技領域２５が開放されたことが確認されると、ステップＳ２２０にて主基板Ｍ１に対して排出カウンタ８１の計数を開始させるように指令する。扉開放信号はモータコントローラＭ４にも入力されており、扉開放信号を入力したモータコントローラＭ４は上述した切替モータ７３に対して切替板７０を略鉛直に立ち上げさせる回転を与えるための電圧を供給する。切替板７０が略鉛直に立ち上げられることにより、前面通路３０に向かおうとする遊技球の流通を阻止することができる。それと同時に、開口１７ａ１を開放することができるため、払い出し装置１９から払い出された遊技球を排出通路８０に流入させることができる。すなわち、遊技領域２５が開放する際に遊技球を排出通路８０から機外に排出することができる。さらにそれと同時に、排出通路８０から機外に排出される遊技球の数が排出カウンタ８１によって計数する。
【００６０】
扉開放センサＭ２における検知信号が主基板Ｍ１に入力されており、主基板Ｍ１はこの検知信号に対応した扉閉鎖信号を生成し、モータコントローラＭ４およびホールコンピュータ９０に対して出力する。従って、ホールコンピュータ９０は、ステップＳ２３０にてパチンコ遊技機１０において遊技領域２５が閉鎖されたことを監視することが可能となっている。そして、遊技領域２５が閉鎖した場合にはステップＳ２４０にて排出カウンタ８１による機外排出数の計数を停止させ、同機外排出数が確定される。
【００６１】
一方、扉閉鎖信号を入力したモータコントローラＭ４は、切替モータ７３に対して切替板７０を略水平に寝させる回転を与えるための電圧を供給する。すなわち、ガラス枠１３が回動し、遊技領域２５の開放した状態において切替板７０を略垂直に立ち上げられ、遊技領域２５の閉鎖した状態において切替板７０を略水平に寝かせられる。すなわち、遊技領域２５が閉鎖した場合には、払い出し装置１９から払い出された遊技球が再び前面通路３０を介して上皿１４または下皿１５に供給されるとともに、遊技領域２５の開放時に機外に排出された機外排出数が確定される。ステップＳ２５０では、この確定した機外排出数を予定払い出し数として格納した新たな払い出しデータを生成し、同払い出しデータをパチンコ遊技機１０の主基板Ｍ１に出力する。
【００６２】
ステップＳ２５０にて出力された払い出しデータについては、上述したステップＳ１００〜Ｓ１４０が行われる。すなわち、機外排出数に応じた遊技球が払い出し装置１９によって払い出される。むろん、その際にガラス枠１３が回動し遊技領域２５が開放された場合には、機外排出数が格納された新たな払い出しデータが生成され、再度、パチンコ遊技機１０に出力される。このようにすることにより、遊技領域２５の開放時に前面通路３０に向かう通路に払い出し装置１９にて払い出された遊技球が案内されることを防止し、分断された通路から遊技球が放出されることが防止できる。その間に、払い出し装置１９にて払い出された遊技球は排出通路８０によって機外排出されるが、同機外排出を行った分の遊技球を再度払い出し装置１９によって払い出すことにより、本来、遊技者が受け取るべきであった遊技球を遊技者に供給することができる。
【００６３】
また、遊技球をパチンコ遊技機１０の機外に排出しているため、排出通路８０の形状を簡素化することができるし、機構板１７から離して形成することができる。従って、機構板１７における各種機構板の配設スペースを排出通路８０が占有してしまうこともない。また、遊技領域２５が開放される毎に払い出し装置１９を停止させる必要もない。なお、本実施形態においては、ホールコンピュータ９０が払い出し数を算出し、払い出しデータを生成するようにしたが、パチンコ遊技機１０の主基板Ｍ１が備えるＣＰＵが払い出しデータを生成するようにしても良い。
【００６４】
（２）第二の実施形態：
図１５は、第二の実施形態の遊技機としてのパチロット１１０を斜めから見て示している。パチロット１１０は、スロットマシンにおけるメダルの代わりに遊技球を利用するものであり、例えば、パチンコ球の５個がメダル１個に相当して遊技を楽しむことができる。パチロット１１０は、スロットマシンと同様に回転するドラム１２５ａを備える遊技領域１２５を有している。このようなパチロット１１０においても遊技媒体として遊技球が使用されるため、遊技状態に応じた遊技球が払い出されることとなる。従って、パチロット１１０の前面側に前面通路１３０を形成することができ、それにより、パチロット１１０の背面側のスペースを広く確保することができる。
【００６５】
なお、図１６に示すように、パチロット１１０も外枠１１１と本体枠１１２とを有し、本体枠１１２の前面側にはドラム１２５ａが保持された遊技領域１２５が形成される。本体枠１１２の背面側には遊技球の供給を受けるタンク１１８が設けられている。タンク１１８に貯留された遊技球は本体枠１１２の前面側に案内される。本体枠１１２の前面側には操作レバーや操作ボタンが形成された窓枠１１３が取り付けられる。窓枠１１３は本体枠１１２に対して左側の辺を回動軸として回動可能に取り付けられる。窓枠１１３と本体枠１１２とが略平行となるように、窓枠１１３を回動させたとき、窓枠１１３の背面側と本体枠１１２の前面側とが略密着する。
【００６６】
このとき、窓枠１１３の略中央部に形成された矩形状の窓穴１１３ｄからはドラム１２５ａが保持された遊技領域１２５が視認可能となる。また、このとき窓枠１１３に取り付けられた前面通路１３０と払い出し装置１１９とが接続し、タンク１１８に貯留された遊技球を前面通路１３０に案内することができる。なお、窓枠１１３をガラス等の透明板によって塞ぐことによりパチロット１１０の遊技領域１２５を閉鎖させてもよいし、本実施形態のように遊技領域１２５を開放させておいてもよい。
【００６７】
図１６に示すように、パチロット１１０の本体枠１１２の内部において複数の絵柄が側面に描かれた略円柱状のドラム１２５ａが収容されるため、本体枠１１２はパチンコ遊技機の本体枠と比較して、厚みが大きい。また、パチンコ遊技機のように遊技領域を拡大化させる要求も少ないため、ドラム１２５ａの側方に比較的大きなスペースを確保することができる。従って、本実施形態のパチロット１１０においては上記スペースに払い出し装置１１９を配設し、同スペースを有効に利用している。
【００６８】
図１７は、払い出し装置１１９周辺の通路の様子を模式的に示している。同図において、破線は本体枠１１２と窓枠１１３と機構板１１７との境界をそれぞれ示している。第一の実施形態と同様にタンク１１８とタンクレール１１８ａが機構板１１７に取り付けられている。一方、前面通路１３０は窓枠１１３に取り付けられている。そして、本体枠１１２には払い出し装置１１９と本体枠通路１１２ａと排出通路１８０が備えられている。本体枠通路１１２ａと窓枠１１３に形成された窓枠通路１１３ｂとが接続することにより連絡通路Ａが形成されている。そして、連絡通路Ａと排出通路１８０が本体枠１１２において分岐している。連絡通路Ａと排出通路１８０の分岐箇所には第一の実施形態と同様に切替板１７０が備えられており、同切替板１７０に対して同様の制御が行われている。
【００６９】
排出通路１８０は本体枠１１２の内部にて背面側に屈曲されている。また、排出通路１８０は機構板１１７を貫通することにより、パチロット１１０の背面側の機外に遊技球を排出することが可能となっている。ただし、機構板１１７が本体枠１１２に対して回動可能に取り付けられているため、機構板１１７が本体枠１１２から離反する場合がある。そこで、本実施形態の排出通路１８０は、本体枠部分１１２ｂと機構板部分１１７ｃとを別部材で構成しておき、本体枠部分１１２ｂとが密着したときに本体枠部分１１２ｂと機構板部分１１７ｃとで排出通路１８０が形成される。機構板部分１１７ｃは前実施形態と同様に機構板１１７から背面側に離れるように突設されている。
【００７０】
図１８は、機構板１１７に備えられたタンクレールの内部を示している。同図において、タンクレール１１８ａはタンク１１８と本体枠１１２に取り付けられた払い出し装置１１９とを接続する通路であり、タンク１１８とともに機構板１１７に取り付けられている。機構板１１７は、本体枠１１２に対して回動可能に取り付けられており、メンテナンス等を行う場合には機構板１１７と本体枠１１２とが離反する。従って、図１７のように機構板１１７が本体枠１１２と密着する状態においてはタンク１１８から払い出し装置１１９に遊技球を案内することが可能であるが、機構板１１７と本体枠１１２とが離反した状態においてはタンク１１８から払い出し装置１１９までの通路が途中で分断されることとなる。そして、分断された通路から遊技球が放出され、同遊技球が散らかることとなる。
【００７１】
これに対して、図１８に示すようにタンクレール１１８ａの内部に略板状のシャッター１１８ａ１を備えることにより、機構板１１７と本体枠１１２とが離反したにも拘わらず、分断された通路に遊技球が供給されることを防止している。すなわち、シャッター１１８ａ１を駆動させる図示しないモータが備えられ、同モータが回転することにより、シャッター１１８ａ１をタンクレール１１８ａの通路方向に対して平行または垂直に回動させることができる。シャッター１１８ａ１をタンクレール１１８ａの通路方向に対して垂直となるとき、タンクレール１１８ａにおける遊技球の流通を停止させることができる。一方、シャッター１１８ａ１をタンクレール１１８ａの通路方向に対して平行となるとき、タンクレール１１８ａにおいて遊技球を流通させることができる。
【００７２】
また、図示しないが機構板１１７が本体枠１１２から離反したことを検知するセンサが備えられており、このセンサの検知状態によってシャッター１１８ａ１を回動させるモータの駆動制御が行われている。すなわち、機構板１１７が本体枠１１２から離反したことをセンサが検知し、この検知をもってシャッター１１８ａ１がタンクレール１１８ａの通路方向に対して垂直となるように制御されている。このようにすることにより、タンク１１８から払い出し装置１１９までの通路が途中で分断さたときに遊技球の供給を停止させ、同遊技球が散らかることが防止できる。
【００７３】
（３）第三の実施形態：
図１９は、第三の実施形態のパチンコ遊技機の本体枠の左上部を斜めから見て示している。同図において、遊技領域２２５が開放するようにガラス枠２１３が回動させられている。図示しないがガラス枠２１３の前面側に前面通路が取り付けられている。そして、前面通路が接続する部位の裏側からガラス枠２１３の背面側に向かって矩形筒状のガラス枠通路２１３ｂが突設されている。一方、本体枠２１２には貫通穴２１２ａが形成されており、同本体枠２１２の背面側に密着する機構板２１７に形成された機構板通路２１７ａが同貫通穴２１２ａから前面側に臨んでいる。ガラス枠通路２１３ｂの突出量は本体枠２１２の厚みと同等とされており、ガラス枠２１３が本体枠２１２に略密着するように同ガラス枠２１３を回動させると、ガラス枠通路２１３ｂの先端と、機構板通路２１７ａとが接続する。なお、貫通穴２１２ａはガラス枠通路２１３ｂの軌道を考慮して大きめに形成されている。
【００７４】
図２０は、ガラス枠通路２１３ｂの先端と、機構板通路２１７ａとが接続する様子を模式的に示している。同図において、図４に示す第一の実施形態とほぼ同様の構成とされているが、本体枠２１２を貫通する貫通穴２１２ａが形成され、その内部にガラス枠１３から突設されたガラス枠通路２１３ｂが侵入している。ガラス枠通路２１３ｂの先端は機構板通路２１７ａの前面側端部まで到達しているため、機構板通路２１７ａとガラス枠通路２１３ｂとで本体枠２１２を貫通する連絡通路Ａを形成することができる。以上の構成において、連絡通路Ａにおいて分断する箇所は、ガラス枠通路２１３ｂの先端と、機構板通路２１７ａの前面側端部とが接続する部位のみであるため、連絡通路Ａにおいてスムーズに遊技球を流下させることができる。
【００７５】
本実施形態において、機構板２１７において排出通路２８０が連絡通路Ａから分岐しており、切替板２７０も機構板２１７に形成されている。従って、連絡通路Ａにおける本体枠２１２を貫通する部位において、排出通路２８０を分岐させる必要もなく、切替板２７０等も配設しなくて済む。すなわち、連絡通路Ａにおける切替板２７０よりも下流部においては通路を簡単な構造とすることができる。本実施形態において、本体枠２１２を貫通する部位が、連絡通路Ａにおける切替板２７０よりも下流部に相当する部位となる。従って、本体枠２１２を貫通する部位を簡単な構造とすることができ、ガラス枠通路２１３ｂとしてガラス枠２１３と一体化させることが可能となっている。
【００７６】
（４）まとめ：
以上説明したように本発明によれば、パチンコ遊技機１０の本体枠１２の前面側に払い出し装置１９を配設することにより、払い出し装置１９をパチンコ遊技機１０の背面側に配置しないようにすることができる。これにより、パチンコ遊技機１０の背面側のスペースを広く確保することができ、より多くの機構部材をパチンコ遊技機１０の背面側に配設することが可能となる。また、遊技領域２５の開放し、連絡通路Ａと前面通路３０が離反することにより、連絡通路Ａと前面通路３０との接続が分断されたときに切替板７０を略鉛直に立ち上げ、前面通路３０に向かおうとする遊技球の流通を阻止することができる。それと同時に、開口１７ａ１を開放することができるため、払い出し装置１９から払い出された遊技球を排出通路８０に流入させ、機外に排出することができる。
【図面の簡単な説明】
【００７７】
【図１】第一の実施形態にかかるパチンコ遊技機の斜視図である。
【図２】第一の実施形態にかかるパチンコ遊技機の背面図である。
【図３】第一の実施形態にかかる払い出し装置の正面図である。
【図４】第一の実施形態にかかる連絡通路の説明図である。
【図５】第一の実施形態にかかる上皿通路の断面図である。
【図６】第一の実施形態にかかる上皿通路の断面図である。
【図７】第一の実施形態にかかる切替板の動作説明図である。
【図８】第一の実施形態にかかる切替板の取り付け説明図である。
【図９】第一の実施形態にかかるパチンコ遊技機の側面図である。
【図１０】第一の実施形態にかかる排出通路の斜視図である。
【図１１】第一の実施形態にかかるパチンコ遊技機の平面図である。
【図１２】第一の実施形態にかかるパチンコ遊技機の制御ブロック図である。
【図１３】第一の実施形態にかかる払い出し処理のフローチャートである。
【図１４】第一の実施形態にかかる遊技領域の開放時に行う処理のフローチャートである。
【図１５】第二の実施形態にかかるパチロットの斜視図である。
【図１６】第二の実施形態にかかるパチロットの分解斜視図である。
【図１７】第二の実施形態にかかる連絡通路の説明図である。
【図１８】第二の実施形態にかかるタンクレールの平面図である。
【図１９】第三の実施形態にかかる本体枠の背面図である。
【図２０】第三の実施形態にかかる連絡通路の説明図である。
【符号の説明】
【００７８】
１０…パチンコ遊技機
１１，１１１，２１１…外枠
１２，１１２，２１２…本体枠
１２ａ，１１２ａ…本体枠通路
１３，１１３，２１３…ガラス枠
１３ａ…ガラス
１３ｂ，１１３ｂ…ガラス枠通路
１３ｄ，１１３ｄ…窓穴
１４，１１４…上皿
１４ａ…位置決め板
１４ｂ…穴
１５，１１５…下皿
１５ａ…壁面
１５ｂ…貫通穴
１６…発射ハンドル
１６ａ…発射装置
１７，１１７…機構板
１７ａ…機構板通路
１７ａ１…開口
１７ａ２…第一ストッパ
１７ａ３…第二ストッパ
１８，１１８…タンク
１８ａ，１１８ａ…タンクレール
１９，１１９…払い出し装置
１９ａ…通路
１９ｂ…回転体
２０…ガイド部材
２０ａ…通路
２１…液晶ユニット
２２…保護カバー
２３…制御ボックス
２４…遊技盤
２５，１２５…遊技領域
３０，１３０…前面通路
３１…延設部
３２…落下部
３４…上皿通路
３４ａ…上皿放出部
３４ｃ…案内翼
３５…下皿通路
３７…ガイド翼
７０，１７０…切替板
７１…回動軸
７２…ギア
７３…切替モータ
７４…駆動ギア
８０，１８０…排出通路
１２５ａ…ドラム
Ａ…連絡通路
Ｍ１…主基板
Ｍ２…扉開放センサ
Ｍ３…球溢れセンサ
Ｍ４…モータコントローラ
Ｍ５…払い出し制御基板
【図１】
2006167316.tif 000003
【図２】
2006167316.tif 000004
【図３】
2006167316.tif 000005
【図４】
2006167316.tif 000006
【図５】
2006167316.tif 000007
【図６】
2006167316.tif 000008
【図７】
2006167316.tif 000009
【図８】
2006167316.tif 000010
【図９】
2006167316.tif 000011
【図１０】
2006167316.tif 000012
【図１１】
2006167316.tif 000013
【図１２】
2006167316.tif 000014
【図１３】
2006167316.tif 000015
【図１４】
2006167316.tif 000016
【図１５】
2006167316.tif 000017
【図１６】
2006167316.tif 000018
【図１７】
2006167316.tif 000019
【図１８】
2006167316.tif 000020
【図１９】
2006167316.tif 000021
【図２０】
2006167316.tif 000022